【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
固体撮像素子の撮像面に物体の像を結像させるために使用される撮像レンズであって、
物体側から像面側に向かって順に、物体側に凸面を向けた正のパワーを有するメニスカスレンズとされた樹脂製の第１レンズ、絞り、および像面側に凸面を向けた正のパワーを有するメニスカスレンズとされた樹脂製の第２レンズを配設し、次の（１）〜（６）の各条件式、
１．１７×ｆｌ≧Ｌ≧１．０７×ｆｌ         （１）
１．２６×ｆｌ≧ｆ１≧０．８５×ｆｌ        （２）
０．８×ｄ１≧ｄ２＞０．５×ｄ１               (３）
Ｌ≦６．２５ｍｍ                           （４）
ｄ１≧０．２２５×ｆｌ                      （５）
ｄ３≧０．２２５×ｆｌ                      （６）
但し、
Ｌ：レンズ系の全長（第１レンズの物体側の面から撮像面までの距離（空気換算長））
ｆｌ：レンズ系全体の焦点距離
ｆ１：第１レンズの焦点距離
ｄ１：第１レンズの中心厚
ｄ２：光軸上における第１レンズと第２レンズとの間隔
ｄ３：第２レンズの中心厚
を満足することを特徴とする撮像レンズ。
【請求項２】
前記絞りは、前記第１レンズの像面側の面と前記第２レンズの物体側の面とを結ぶ光軸上の線分の中点よりも前記第１レンズの側に位置するように配置されていることを特徴とする請求項１に記載の撮像レンズ。
【請求項３】
光学系の明るさを以下のように規定したことを特徴とする請求項１または２に記載の撮像レンズ。
４．０＞Ｆｎｏ      （７）
但し、Ｆｎｏ ：光学系の明るさ
【請求項４】
対角画角を以下のように規定したことを特徴とする請求項１〜３のいずれか１項に記載の撮像レンズ。
２ω≧５０°        （８）
但し、２ω：対角画角
【請求項５】
更に、次の（９）の条件式、
ｆｌ≦５．０ｍｍ    （９）
を満足することを特徴とする請求項１〜４のいずれか１項に記載の撮像レンズ。
【手続補正２】
【補正対象書類名】明細書
【補正対象項目名】００１７
【補正方法】変更
【補正の内容】
【００１７】
上記目的を達成するため本発明の請求項１に係る撮像レンズの特徴は、固体撮像素子の撮像面に物体の像を結像させるために使用される撮像レンズであって、
物体側から像面側に向かって順に、物体側に凸面を向けた正のパワーを有するメニスカスレンズとされた樹脂製の第１レンズ、絞り、および像面側に凸面を向けた正のパワーを有するメニスカスレンズとされた樹脂製の第２レンズを配設し、次の（１）〜（６）の各条件式、
１．１７×ｆｌ≧Ｌ≧１．０７×ｆｌ         （１）
１．２６×ｆｌ≧ｆ１≧０．８５×ｆｌ        （２）
０．８×ｄ１≧ｄ２＞０．５×ｄ１               (３）
Ｌ≦６．２５ｍｍ                           （４）
ｄ１≧０．２２５×ｆｌ                      （５）
ｄ３≧０．２２５×ｆｌ                      （６）
但し、
Ｌ：レンズ系の全長（第１レンズの物体側の面から撮像面までの距離（空気換算長））
ｆｌ：レンズ系全体の焦点距離
ｆ１：第１レンズの焦点距離
ｄ１：第１レンズの中心厚
ｄ２：光軸上における第１レンズと第２レンズとの間隔
ｄ３：第２レンズの中心厚
を満足する点にある。
【手続補正３】
【補正対象書類名】明細書
【補正対象項目名】００１８
【補正方法】変更
【補正の内容】
【００１８】
この請求項１に係る発明によれば、前記（１）および（２）の各条件式を満足することにより、光学系全体を小型軽量化することが可能となり、また、射出瞳と撮像面（センサ）との間の距離を維持してテレセントリック性を高めることにより、センサ端部に入射する光線の有効利用が可能となる。さらに、コマ収差、歪曲収差を効果的に補正して光学性能を向上させることが可能となり、また、製造性を向上させることが可能となる。さらに、（３）の条件式をも満足することにより、さらに有効に製造性を確保することが可能となり、また、高い光学性能を維持することが可能となる。さらにまた、（４）の条件式をも満足することにより、光学系全体のさらなる小型化を実現することが可能となる。また、第１および第２レンズを樹脂製のレンズとし、かつ、それぞれのレンズの中心厚を規定したこと（条件式（５）、（６））によって、さらにレンズの製造性を向上させるとともに、安価なレンズを提供することが可能となる。さらに、第２レンズが、正のパワーを有するメニスカスレンズに形成されていることによって、さらに有効にテレセントリック性を確保することが可能となる。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
また、請求項２に係る撮像レンズの特徴は、請求項１において、前記絞りが、前記第１レンズの像面側の面と前記第２レンズの物体側の面とを結ぶ光軸上の線分の中点よりも前記第１レンズの側に位置するように配置されている点にある。
【手続補正７】
【補正対象書類名】明細書
【補正対象項目名】００２２
【補正方法】変更
【補正の内容】
【００２２】
この請求項２に係る発明によれば、前記絞りを、前記第１レンズの像面側の面と前記第２レンズの物体側の面とを結ぶ光軸上の線分における中点よりも前記第１レンズの側に位置するように配置しているので、射出瞳と撮像面（センサ）との間の距離をより確実に維持することができ、各レンズの形状等に負荷をかけることなく、テレセントリック性を確保することが可能となる。
【手続補正８】
【補正対象書類名】明細書
【補正対象項目名】００２３
【補正方法】変更
【補正の内容】
【００２３】
また、請求項３に係る撮像レンズの特徴は、請求項１または２において、光学系の明るさを以下のように規定した点にある。
４．０＞Ｆｎｏ      （７）
但し、Ｆｎｏ ：光学系の明るさ
【手続補正９】
【補正対象書類名】明細書
【補正対象項目名】００２４
【補正方法】変更
【補正の内容】
【００２４】
そして、この請求項３に係る発明によれば、本発明に係る撮像レンズが搭載される撮像装置に求められる夜間あるいは暗所等の光量の少ない状況下においてさらに良好な光学性能を発揮することが可能となる。
【手続補正１０】
【補正対象書類名】明細書
【補正対象項目名】００２５
【補正方法】変更
【補正の内容】
【００２５】
また、請求項４に係る撮像レンズの特徴は、請求項１〜３のいずれか１項において、対角画角を以下のように規定した点にある。
２ω≧５０°        （８）
但し、２ω：対角画角
【手続補正１１】
【補正対象書類名】明細書
【補正対象項目名】００２６
【補正方法】変更
【補正の内容】
【００２６】
そして、この請求項４に係る発明によれば、本発明に係る撮像レンズが搭載される撮像装置に求められる広画角化の要求を十分に満足することが可能となる。
【手続補正１２】
【補正対象書類名】明細書
【補正対象項目名】００２７
【補正方法】変更
【補正の内容】
【００２７】
また、請求項５に係る撮像レンズの特徴は、請求項１〜４のいずれか１項において、更に、次の（９）の条件式、
ｆｌ≦５．０ｍｍ    （９）
を満足する点にある。
【手続補正１３】
【補正対象書類名】明細書
【補正対象項目名】００２８
【補正方法】変更
【補正の内容】
【００２８】
そして、この請求項５に係る発明によれば、広画角化を維持したまま小型化された撮像レンズを実現するためにより好適な構成にすることが可能となる。
【手続補正１４】
【補正対象書類名】明細書
【補正対象項目名】００２９
【補正方法】変更
【補正の内容】
【００２９】
本発明の請求項１に係る撮像レンズによれば、良好な光学性能を維持しつつ小型で製造性に優れた撮像レンズを実現することができる。また、更に光学性能に優れ、かつ固体撮像素子へ入射する光量を有効に利用することができる小型の撮像レンズを実現することができる。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】変更
【補正の内容】
【００３１】
また、請求項２に係る撮像レンズによれば、請求項１に係る撮像レンズの効果に加えて、更に固体撮像素子へ入射する光量を有効に利用可能な小型の撮像レンズを実現することができる。
【手続補正１７】
【補正対象書類名】明細書
【補正対象項目名】００３２
【補正方法】変更
【補正の内容】
【００３２】
また、請求項３に係る撮像レンズによれば、請求項１または２に係る撮像レンズの効果に加えて、夜間または暗所等の光量の少ない状況下においてさらに優れた光学性能を発揮することができる撮像レンズを実現することができる。
【手続補正１８】
【補正対象書類名】明細書
【補正対象項目名】００３３
【補正方法】変更
【補正の内容】
【００３３】
また、請求項４に係る撮像レンズによれば、請求項１〜３に係る撮像レンズの効果に加えて、さらに広範囲の風景や多数の人物を撮影することができる広画角の撮像レンズを実現することができる。
【手続補正１９】
【補正対象書類名】明細書
【補正対象項目名】００３４
【補正方法】変更
【補正の内容】
【００３４】
また、請求項５に係る撮像レンズによれば、請求項１〜４に係る撮像レンズの効果に加えて、さらに広画角化を維持しつつ全長を小型化した撮像レンズを実現することができる。